(57)【要約】      （修正有）【課題】表示映像に関連しかつ映像を見る人に提供すべき関連情報を、赤外線通信機能付きの携帯電話機を持つ人が容易に取得できるようになる表示装置を提供する。【解決手段】表示映像に関連しかつ映像を見る人に提供すべき関連情報を記憶している記憶手段２０、赤外線通信機能付きの携帯電話機と赤外線通信を行うための赤外線インターフェイス１７、および赤外線インターフェイスを介して、赤外線通信機能付きの携帯電話機からの関連情報要求コマンドを受信したときに、上記記憶手段に記憶されている関連情報を赤外線インターフェイスを介して赤外線送信させる手段を備えている。【選択図】図１
2005043464.tif 000002
【特許請求の範囲】
【請求項１】
表示映像に関連しかつ映像を見る人に提供すべき関連情報を記憶している記憶手段、
赤外線通信機能付きの携帯電話機と赤外線通信を行うための赤外線インターフェイス、および
赤外線インターフェイスを介して、赤外線通信機能付きの携帯電話機からの関連情報要求コマンドを受信したときに、上記記憶手段に記憶されている関連情報を赤外線インターフェイスを介して赤外線送信させる手段、を備えていることを特徴とする表示装置。
【請求項２】
表示装置に装着されかつ表示映像に関連しかつ映像を見ている人に提供すべき関連情報を記憶している記憶媒体、
赤外線通信機能付きの携帯電話機と赤外線通信を行うための赤外線インターフェイス、および
赤外線インターフェイスを介して、赤外線通信機能付きの携帯電話機からの関連情報要求コマンドを受信したときに、上記記憶媒体に記憶されている関連情報を赤外線インターフェイスを介して赤外線送信させる手段、を備えていることを特徴とする表示装置。
【発明の詳細な説明】
【０００１】
【発明の属する技術分野】
この発明は、液晶プロジェクタ等の表示装置に関する。
【０００２】
【従来の技術】
液晶プロジェクタ等の表示装置が公共用の表示装置として用いられている場合を想定する。このような表示装置では、通常、映像を見ている人（以下、視聴者という）に対して、広告が一方的に表示される。視聴者は、広告としての映像を見ることはできるが、広告の詳細情報等の情報を取得できなかった。
【０００３】
液晶プロジェクタ等の表示装置を用いてプレゼンテーションが行われる場合には、視聴者はプレゼンテーションの内容についての問い合わせ先、発表者の連絡先等の情報等を、紙媒体にメモすることが多い。
【０００４】
【発明が解決しようとする課題】
この発明は、表示映像に関連しかつ映像を見る人に提供すべき関連情報を、赤外線通信機能付きの携帯電話機を持つ人が容易に取得できるようになる表示装置を提供することを目的とする。
【０００５】
【課題を解決するための手段】
請求項１に記載の発明は、表示映像に関連しかつ映像を見る人に提供すべき関連情報を記憶している記憶手段、赤外線通信機能付きの携帯電話機と赤外線通信を行うための赤外線インターフェイス、および赤外線インターフェイスを介して、赤外線通信機能付きの携帯電話機からの関連情報要求コマンドを受信したときに、上記記憶手段に記憶されている関連情報を赤外線インターフェイスを介して赤外線送信させる手段を備えていることを特徴とする。
【０００６】
請求項２に記載の発明は、表示装置に装着されかつ表示映像に関連しかつ映像を見ている人に提供すべき関連情報を記憶している記憶媒体、赤外線通信機能付きの携帯電話機と赤外線通信を行うための赤外線インターフェイス、および赤外線インターフェイスを介して、赤外線通信機能付きの携帯電話機からの関連情報要求コマンドを受信したときに、上記記憶媒体に記憶されている関連情報を赤外線インターフェイスを介して赤外線送信させる手段を備えていることを特徴とする。
【０００７】
【発明の実施の形態】
以下、図面を参照して、この発明の実施の形態について説明する。
【０００８】
図１は、表示装置の構成を示している。
【０００９】
表示装置１０は、記憶媒体Ｉ／Ｆ１１、信号処理部１２、表示パネル１３、ＣＰＵ１４、ＲＯＭ１５、ＲＡＭ１６およびＩｒＭＣ  Ｉ／Ｆ１７を備えている。
【００１０】
ＩｒＭＣ  Ｉ／Ｆ１７は、ＩｒＭＣ（Ｉｎｆｒａ−ｒｅｄ  Ｍｏｂｉｌｅ  Ｃｏｍｍｕｎｉｃａｔｉｏｎ）  に準拠した赤外線インターフェイスである。
【００１１】
記憶媒体Ｉ／Ｆ１１には、記憶媒体２０が装着される。記憶媒体２０には、この例では、プレゼンテーション用の映像が格納されている。プレゼンテーションを行う者（発表者）は、予め、図示しない操作部を操作して、表示映像に関連しかつ視聴者に提供すべき関連情報をＲＡＭ１６に登録しておく。この場合の関連情報としては、プレゼンテーションの内容に対する問い合わせ先、発表者の連絡先（Ｅ−Ｍａｉｌアドレス，ＵＲＬ）  等がある。
【００１２】
記憶媒体２０に格納された映像は、記憶媒体Ｉ／Ｆ１１を介して信号処理部１２に送られ、所定の信号処理が行われた後、表示パネル１３に送られて、表示される。
【００１３】
ＩｒＭＣに対応した赤外線インターフェイスを備えた携帯電話機を持っている視聴者は、その携帯電話を操作することによって、表示装置１０に登録されている関連情報を取得することが可能である。つまり、視聴者は、携帯電話機３０（図１参照）を操作して、関連情報を取得するための関連情報要求コマンドを、携帯電話機の赤外線インターフェイスを介して赤外線送信させる。
【００１４】
この関連情報要求コマンドは、表示装置１０のＩｒＭＣ  Ｉ／Ｆ１７を介してＣＰＵ１４によって受信される。ＣＰＵ１４は、携帯電話機３０から赤外線送信された関連情報要求コマンドを受信すると、ＲＡＭ１６に登録されている関連情報を、ＩｒＭＣ  Ｉ／Ｆ１７を介して赤外線送信する。上記携帯電話機３０は、表示装置１０から赤外線送信された関連情報を受信する。このようにして、視聴者は、携帯電話機を用いて、関連情報を取得することができる。
【００１５】
なお、上記実施の形態では、関連情報をＲＡＭ１６に登録しているが、記憶媒体２０に記憶しておいてもよい。この場合には、ＣＰＵ１４は、携帯電話機３０から赤外線送信された関連情報要求コマンドを受信すると、記憶媒体２０に記憶している関連情報を、ＩｒＭＣ  Ｉ／Ｆ１７を介して赤外線送信する。
【００１６】
次に、表示装置１０が公共用の表示装置として用いられている場合について説明する。このような場合には、記憶媒体２０に、複数の広告主の広告映像が格納されるとともに、各広告主別に広告主の連絡先や商品の詳細情報等の関連情報が格納されている。
【００１７】
表示装置１０によって広告映像が表示されているときに、携帯電話機３０から赤外線送信された関連情報要求詳細情報要求コマンドをＣＰＵ１４が受信すると、ＣＰＵ１４は、現在表示されている広告映像に対応した関連情報を、記憶媒体２０から読み出して、ＩｒＭＣ  Ｉ／Ｆ１７を介して赤外線送信する。
【００１８】
【発明の効果】
この発明によれば、表示映像に関連しかつ映像を見る人に提供すべき関連情報を、赤外線通信機能付きの携帯電話機を持つ人が容易に取得できるようになる。
【図面の簡単な説明】
【図１】表示装置の構成を示すブロック図である。
【符号の説明】
１０  表示装置
１１  記録媒体Ｉ／Ｆ
１２  信号処理部
１３  表示パネル
１４  ＣＰＵ
１５  ＲＯＭ
１６  ＲＡＭ
１７  ＩｒＭＣ  Ｉ／Ｆ
２０  記憶媒体
３０  携帯電話機
【図１】
2005043464.tif 000003